(57)【要約】【課題】  環境配慮型車両の空圧生成装置を提供する。【解決手段】  エンジン１１によって作動するエンジン駆動エアコンプレッサ１２と、バッテリによって作動する電動エアコンプレッサ１３と、前記エンジン駆動エアコンプレッサ１２の出口および前記電動エアコンプレッサ１３の出口にそれぞれ連結され、加圧された空気が貯蔵されるエアタンク１５とを含み、前記エアタンク１５内部の空圧を作動開始空圧と比較する作動開始空圧判断ステップＳ１１０と、前記エアタンク１５内部の空圧が前記作動開始空圧未満であれば、エンジン１１の駆動の可否を判断するエンジン稼働判断ステップＳ１２０と、前記エンジン１１が駆動中でなければ、前記電動エアコンプレッサ１３を作動させる電動エアコンプレッサ作動ステップＳ１６０と、前記エンジン１１が駆動中であれば、前記エンジン駆動エアコンプレッサ１２を作動させるエンジン駆動エアコンプレッサ作動ステップＳ１７０とを含むことを特徴とする。【選択図】図２
2014061865.tif 000002
【特許請求の範囲】
【請求項１】
エンジンによって作動するエンジン駆動エアコンプレッサと、
バッテリによって作動する電動エアコンプレッサと、
前記エンジン駆動エアコンプレッサの出口および前記電動エアコンプレッサの出口に連結され、前記エンジン駆動エアコンプレッサおよび前記電動エアコンプレッサで加圧された空気が貯蔵されるエアタンクとを含み、
前記エンジンが作動すると前記エンジン駆動エアコンプレッサが作動し、前記エンジンが作動しなければ前記電動エアコンプレッサが作動することを特徴とする環境配慮型車両の空圧生成装置。
【請求項２】
前記エンジン駆動エアコンプレッサの出口側および前記電動エアコンプレッサの出口側には、それぞれ前記エンジン駆動エアコンプレッサまたは前記電動エアコンプレッサで加圧された空気が前記エアタンクに供給されることを断続するチェックバルブをさらに含むことを特徴とする請求項１に記載の環境配慮型車両の空圧生成装置。
【請求項３】
エアタンク内部の空圧を、エンジン駆動エアコンプレッサまたは電動エアコンプレッサが作動するように設定された作動開始空圧と比較する作動開始空圧判断ステップと、
前記エアタンク内部の空圧が前記作動開始空圧未満であれば、車両に搭載されたエンジンが駆動されているかを判断するエンジン稼働判断ステップと、
前記エンジン稼働判断ステップで前記エンジンが駆動中でなければ、前記電動エアコンプレッサを作動させる電動エアコンプレッサ作動ステップと、
前記エンジン稼働判断ステップで前記エンジンが駆動中であれば、前記エンジン駆動エアコンプレッサを作動させるエンジン駆動エアコンプレッサ作動ステップと、
前記電動エアコンプレッサ作動ステップまたは前記エンジン駆動エアコンプレッサ作動ステップが行われた後に、前記エンジン駆動エアコンプレッサまたは電動エアコンプレッサの作動を中止するように設定された作動完了空圧と比較する作動完了空圧判断ステップとを含むことを特徴とする環境配慮型車両の空圧生成方法。
【請求項４】
前記エンジン稼働判断ステップにおいて、前記エンジンが駆動中でないと判断されると、前記エンジン稼働判断ステップが行われた後に、前記電動エアコンプレッサの異常の有無を判断する電動エアコンプレッサエラー判断ステップをさらに含み、
前記電動エアコンプレッサが正常であれば、前記電動エアコンプレッサ作動ステップが行われ、
前記電動エアコンプレッサが正常でなければ、前記エンジン駆動エアコンプレッサ作動ステップが行われることを特徴とする請求項３に記載の環境配慮型車両の空圧生成方法。
【請求項５】
前記電動エアコンプレッサエラー判断ステップにおいて、前記電動エアコンプレッサが正常と判断されると、車両の高電圧系統の異常の有無を判断する高電圧系統エラー判断ステップをさらに含み、
前記高電圧系統が正常であれば、前記電動エアコンプレッサ作動ステップが行われ、
前記高電圧系統が正常でなければ、前記エンジン駆動エアコンプレッサ作動ステップを行うことを特徴とする請求項４に記載の環境配慮型車両の空圧生成方法。
【請求項６】
前記高電圧系統エラー判断ステップにおいて、前記高電圧系統が正常と判断されると、車両の低電圧系統の異常の有無を判断する低電圧系統エラー判断ステップをさらに含み、
前記低電圧系統が正常であれば、前記電動エアコンプレッサ作動ステップが行われ、
前記低電圧系統が正常でなければ、前記エンジン駆動エアコンプレッサ作動ステップが行われることを特徴とする請求項５に記載の環境配慮型車両の空圧生成方法。
【請求項７】
前記作動完了空圧判断ステップにおいて、
前記エアタンク内部の空圧が前記作動完了空圧以上であれば、前記エンジン駆動エアコンプレッサまたは電動エアコンプレッサの作動を中止し、
前記エアタンク内部の空圧が前記作動完了空圧未満であれば、前記エンジン稼働判断ステップにリターンすることを特徴とする請求項３に記載の環境配慮型車両の空圧生成方法。
【請求項８】
前記作動完了空圧は、前記作動開始空圧より高く設定されることを特徴とする請求項３に記載の環境配慮型車両の空圧生成方法。
【発明の詳細な説明】
【技術分野】
【０００１】
本発明は、環境配慮型車両の空圧生成装置および方法に係り、より詳しくは、通常のエンジンと高電圧バッテリとを備えた環境配慮型車両において、車両の運行状態と電圧系統の異常の有無に応じてエンジン駆動エアコンプレッサと電動エアコンプレッサを選択的に作動させる環境配慮型車両の空圧生成装置および方法に関するものである。
【背景技術】
【０００２】
車両、特に、バス、トラック、特装車両のような商用車では、エンジンによって駆動されるエアコンプレッサが装着され、車両の付帯装置の作動に必要な空圧を提供する。
【０００３】
前記のように、エンジンによって駆動される車両は、車両の走行中に常にエンジンが作動する状態であるため、車両の走行中は常にエンジンによってエアコンプレッサを作動させて空圧を発生する。
【０００４】
一方、最近では、ハイブリッド自動車のように、エンジンのほか、モータから動力を受ける環境配慮型車両の研究開発と普及が増加している。（例えば特許文献１参照。）
【０００５】
前記ハイブリッド自動車では、バッテリ、充電関連技術の発達に伴い、エンジンによる稼働時間は減少し、前記モータが稼働する時間を増加させ、プラグインハイブリッド自動車のような、次第にエンジンの駆動を要しない技術が増えている。これにより、環境配慮型車両では、エンジンの駆動時間が減少し、エンジンによって作動するエンジン駆動エアコンプレッサの作動時間も減少し、車両の各種装置に供給されるべき空圧も減少する現象が発生する。
【０００６】
空圧が減少すると、制動装置、サスペンションのような、車両の走行に必ず必要な装置を含めて各種特装装置の動作に制限を受けるようになるため空圧が発生し、モータによって走行可能な状況であるにもかかわらず、無駄にエンジンを駆動させなければならない問題が発生する。
【０００７】
このような問題は、ハイブリッド自動車のみならず、電気自動車のうち、主に高電圧バッテリに充電された電力で走行し、走行距離を延ばすために充電専用エンジンを備えた走行距離延長電気自動車（ＲＥ−ＥＶ；Ｒａｎｇｅ  Ｅｘｔｅｎｄｅｄ  Ｅｌｅｃｔｒｉｃ  Ｖｅｈｉｃｌｅ）においても発生する。
【先行技術文献】
【特許文献】
【０００８】
【特許文献１】特開２０１１−１１７２２号公報
【発明の概要】
【発明が解決しようとする課題】
【０００９】
本発明は前記のような点に鑑みてなされたものであって、本発明の目的は、エンジンによって駆動されるエンジン駆動エアコンプレッサと、モータによって駆動される電動エアコンプレッサとを設け、車両の走行条件に応じて前記エンジン駆動エアコンプレッサと電動エアコンプレッサを選択的に作動させることにより、空圧発生のためにエンジンが駆動する時間を減少させ、車両の燃費が向上するようにした環境配慮型車両の空圧生成装置および方法を提供することにある。
【課題を解決するための手段】
【００１０】
このような目的を達成するための本発明の環境配慮型車両の空圧生成装置は、エンジンによって作動するエンジン駆動エアコンプレッサと、バッテリによって作動する電動エアコンプレッサと、前記エンジン駆動エアコンプレッサの出口および前記電動エアコンプレッサの出口に連結され、前記エンジン駆動エアコンプレッサおよび前記電動エアコンプレッサで加圧された空気が貯蔵されるエアタンクとを含み、前記エンジンが作動すると前記エンジン駆動エアコンプレッサが作動し、前記エンジンが作動しなければ前記電動エアコンプレッサが作動することを特徴とする。
【００１１】
前記エンジン駆動エアコンプレッサの出口側および前記電動エアコンプレッサの出口側には、それぞれ前記エンジン駆動エアコンプレッサまたは前記電動エアコンプレッサで加圧された空気が前記エアタンクに供給されることを断続するチェックバルブをさらに含むことを特徴とする。
【００１２】
一方、本発明の他の態様に係る環境配慮型車両の空圧生成方法は、エアタンク内部の空圧を、エンジン駆動エアコンプレッサまたは電動エアコンプレッサが作動するように設定された作動開始空圧と比較する作動開始空圧判断ステップと、前記エアタンク内部の空圧が前記作動開始空圧未満であれば、車両に搭載されたエンジンが駆動されているかを判断するエンジン稼働判断ステップと、前記エンジン稼働判断ステップで前記エンジンが駆動中でなければ、前記電動エアコンプレッサを作動させる電動エアコンプレッサ作動ステップと、前記エンジン稼働判断ステップで前記エンジンが駆動中であれば、前記エンジン駆動エアコンプレッサを作動させるエンジン駆動エアコンプレッサ作動ステップと、前記電動エアコンプレッサ作動ステップまたは前記エンジン駆動エアコンプレッサ作動ステップが行われた後に、前記エンジン駆動エアコンプレッサまたは電動エアコンプレッサの作動を中止するように設定された作動完了空圧と比較する作動完了空圧判断ステップとを含むことを特徴とする。
【００１３】
前記エンジン稼働判断ステップにおいて、前記エンジンが駆動中でないと判断されると、前記エンジン稼働判断ステップが行われた後に、前記電動エアコンプレッサの異常の有無を判断する電動エアコンプレッサエラー判断ステップをさらに含み、前記電動エアコンプレッサが正常であれば、前記電動エアコンプレッサ作動ステップが行われ、前記電動エアコンプレッサが正常でなければ、前記エンジン駆動エアコンプレッサ作動ステップが行われることを特徴とする。
【００１４】
前記電動エアコンプレッサエラー判断ステップにおいて、前記電動エアコンプレッサが正常と判断されると、車両の高電圧系統の異常の有無を判断する高電圧系統エラー判断ステップをさらに含み、前記高電圧系統が正常であれば、前記電動エアコンプレッサ作動ステップが行われ、前記高電圧系統が正常でなければ、前記エンジン駆動エアコンプレッサ作動ステップを実施することを特徴とする。
【００１５】
ここで、前記高電圧系統エラー判断ステップにおいて、前記高電圧系統が正常と判断されると、車両の低電圧系統の異常の有無を判断する低電圧系統エラー判断ステップをさらに含み、前記低電圧系統が正常であれば、前記電動エアコンプレッサ作動ステップが行われ、前記低電圧系統が正常でなければ、前記エンジン駆動エアコンプレッサ作動ステップが行われることを特徴とする。
【００１６】
また、前記作動完了空圧判断ステップにおいて、前記エアタンク内部の空圧が前記作動完了空圧以上であれば、前記エンジン駆動エアコンプレッサまたは電動エアコンプレッサの作動を中止し、前記エアタンク内部の空圧が前記作動完了空圧未満であれば、前記エンジン稼働判断ステップにリターンすることを特徴とする。
【００１７】
一方、前記作動完了空圧は、前記作動開始空圧より高く設定されることを特徴とする。
【発明の効果】
【００１８】
前記のような構成を有する、本発明に係る環境配慮型車両の空圧生成装置および方法によれば、車両の走行状態と、高電圧、低電圧系統の異常の有無に応じてエンジン駆動エアコンプレッサと電動エアコンプレッサを選択的に作動させることにより、空圧の低下によるエンジン駆動エアコンプレッサ作動のために無駄にエンジンを駆動させなくても良い効果がある。
【００１９】
また、前記のように、無駄にエンジンを駆動させる状況が減少するため、車両の燃費を向上することができる。
【００２０】
同時に、車両の空圧を一定水準以上に常に維持可能なため、車両の各種装置を安定して作動することができる。
【図面の簡単な説明】
【００２１】
【図１】本発明に係る環境配慮型車両の空圧生成装置を示すブロック図である。
【図２】本発明に係る環境配慮型車両の空圧生成方法を示すフローチャートである。
【発明を実施するための形態】
【００２２】
以下、添付した図面を参照して、本発明に係る環境配慮型車両の空圧生成装置について詳細に説明する。
【００２３】
本発明に係る環境配慮型車両の空圧生成装置は、エンジン１１によって駆動されるエンジン駆動エアコンプレッサ１２と、前記エンジン駆動エアコンプレッサ１２とは独立して作動し、車両の搭載されたバッテリによって作動する電動エアコンプレッサ１３と、前記エンジン駆動エアコンプレッサ１２または前記電動エアコンプレッサ１３で加圧された空気を貯蔵するエアタンク１５と、前記エンジン駆動エアコンプレッサ１２および前記電動エアコンプレッサ１３の出口側に設けられるチェックバルブ１６ａ、１６ｂとを含む。
【００２４】
エンジン駆動エアコンプレッサ１２は、エンジン１１によって駆動され、車両に必要な空圧を生成する。前記エンジン駆動エアコンプレッサ１２は、通常の車両に設けられたエアコンプレッサを用いることができる。前記エンジン駆動エアコンプレッサ１２は、前記エンジン１１と機構的に連結され、前記エンジン１１が作動すると前記エンジン１１によって駆動され、加圧された空気を吐出する。
【００２５】
電動エアコンプレッサ１３は、前記エンジン駆動エアコンプレッサ１２とは異なり、エンジン１１の駆動とは独立してバッテリから供給される電力によって作動し、空圧を生成する。つまり、前記電動エアコンプレッサ１３は、前記エンジン１１の駆動とは無関係に作動できるため、前記エンジン１１が作動していない間にも加圧された空気を吐出し、車両の各種装置の作動に必要な空圧を生成する。
【００２６】
エアタンク１５は、前記エンジン駆動エアコンプレッサ１２および前記電動エアコンプレッサ１３から供給された加圧された空気が貯蔵される。前記エアタンク１５は、前記エンジン駆動エアコンプレッサ１２および前記電動エアコンプレッサ１３のパイプを介して連結されていて、前記エンジン駆動エアコンプレッサ１２および前記電動エアコンプレッサ１３から加圧された空気が前記エアタンク１５に流入できるようにする。つまり、前記エンジン駆動エアコンプレッサ１２および電動エアコンプレッサ１３の出口側に連結されたパイプは互いに合岐され、前記エアタンク１５に連結される。
【００２７】
この時、前記エンジン駆動エアコンプレッサ１２および電動エアコンプレッサ１３の出口側には、加圧された空気を選択的に前記エアタンク１５に送ることができるようにチェックバルブ１６ａ、１６ｂがそれぞれ備えられる。つまり、前記エンジン駆動エアコンプレッサ１２の出口側にチェックバルブ１６ａが備えられ、前記電動エアコンプレッサ１３の出口側にチェックバルブ１６ｂが備えられる。前記エンジン駆動エアコンプレッサ１２が作動して加圧された空気が吐出される間、前記エンジン駆動エアコンプレッサ１２に連結されたチェックバルブ１６ａが開放され、前記エンジン駆動エアコンプレッサ１２および前記エアタンク１５と連通するようにし、前記電動エアコンプレッサ１３が作動している間、前記電動エアコンプレッサ１３に連結されたチェックバルブ１６ｂが開放され、前記電動エアコンプレッサ１３および前記エアタンク１５と連通するようにすることにより、加圧された空気が前記エアタンク１５に集められて空圧が維持される。
【００２８】
前記チェックバルブ１６ａ、１６ｂは、予め設定された値以上の圧力が作用すると開放されるようにし、前記エンジン駆動エアコンプレッサ１２または前記電動エアコンプレッサ１３が作動すると機械式に開放されるように備えられる。
【００２９】
同時に、前記チェックバルブ１６ａ、１６ｂは、前記エンジン駆動エアコンプレッサ１２または前記電動エアコンプレッサ１３が作動すると、制御部、例えば、ＨＣＵ１７によって開放されるようにしてもよい。
【００３０】
一方、前記エアタンク１５の前段には、前記エアタンク１５に流入する加圧された空気に含まれた湿気を除去するＡＰＵ（Ａｉｒ  Ｐｒｅｓｓｕｒｅ  Ｕｎｉｔ）１４が備えられることが好ましい。また、前記ＡＰＵ１４は、加圧された空気の水分を除去するほか、加圧された空気の圧力調節、不純物を除去する機能も果たす。
【００３１】
また、前記エンジン駆動エアコンプレッサ１２、電動エアコンプレッサ１３およびチェックバルブ１６ａ、１６ｂは、車両の制御部によって制御されるものであって、前記制御部は、車両の状態を考慮して、前記エンジン駆動エアコンプレッサ１２または前記電動エアコンプレッサ１３が稼働するように制御する。
【００３２】
例えば、環境配慮型車両のうち、ハイブリッド車両であれば、前記制御部としてＨＣＵ（Ｈｙｂｒｉｄ  Ｃｏｎｔｒｏｌ  Ｕｎｉｔ）１７が適用され、前記ＨＣＵ１７によって前記エンジン駆動エアコンプレッサ１２または電動エアコンプレッサ１３の作動がそれぞれ制御される。
【００３３】
以下では、添付した図面を参照して、本発明に係る環境配慮型車両の空圧生成方法について詳細に説明する。
【００３４】
本発明に係るハイブリッド車両の空圧生成方法は、エアタンク１５内部の空圧を、エンジン駆動エアコンプレッサ１２または電動エアコンプレッサ１３が作動するように設定された作動開始空圧と比較する作動開始空圧判断ステップＳ１１０と、前記エアタンク１５内部の空圧が前記作動開始空圧未満であれば、車両に搭載されたエンジン１１が駆動されているかを判断するエンジン稼働判断ステップＳ１２０と、前記エンジン稼働判断ステップＳ１２０で前記エンジン１１が駆動中でなければ、（幾つかの付帯条件のチェックを含み、）前記電動エアコンプレッサ１３を作動させる電動エアコンプレッサ作動ステップＳ１６０と、前記エンジン稼働判断ステップＳ１２０で前記エンジン１１が駆動中であれば、前記エンジン駆動エアコンプレッサ１２を作動させるエンジン駆動エアコンプレッサ作動ステップＳ１７０と、前記電動エアコンプレッサ作動ステップＳ１６０または前記エンジン駆動エアコンプレッサ作動ステップＳ１７０が行われた後に、前記エンジン駆動エアコンプレッサ１２または電動エアコンプレッサ１３の作動を中止するように設定された作動完了空圧と比較する作動完了空圧判断ステップＳ１８０とを含む。
【００３５】
作動開始空圧判断ステップＳ１１０では、車両のエアタンク１５内部の空圧を、電動エアコンプレッサ１３またはエンジン駆動エアコンプレッサ１２が作動するように設定された作動開始空圧と比較する。
【００３６】
前記作動開始空圧判断ステップＳ１１０で測定された前記エアタンク１５内部の空圧が前記作動開始空圧未満であれば、車両の各種装置を作動させるための空圧が不足する状態である。このため、前記エアタンク１５の内部に加圧された空気を供給して前記エアタンク１５内部の空圧を上昇させなければならないため、電動エアコンプレッサ１３またはエンジン駆動エアコンプレッサ１２が作動するように、以下の過程を進行する。
【００３７】
仮に、前記作動開始空圧判断ステップＳ１１０で測定された前記エアタンク１５内部の空圧が前記作動開始空圧以上であれば、前記エアタンク１５の内部に空圧を供給する必要がないため、最初にリターンするようにする。
【００３８】
エンジン稼働判断ステップＳ１２０は、前記エンジン駆動エアコンプレッサ１２または前記電動エアコンプレッサ１３のどちらを作動させるかを決定するために、前記エンジン１１の駆動の可否を判断する。
【００３９】
つまり、前記エンジン１１が稼働中であれば、前記エンジン１１の動力を利用して空圧が生成されるようにし、前記エンジン１１が稼働中でなければ、前記エンジン１１の代わりに、バッテリに充電された電力を利用して空圧が生成されるようにする。
【００４０】
したがって、前記エンジン稼働判断ステップＳ１２０で判断された前記エンジン１１の駆動の可否により、後述する電動エアコンプレッサ作動ステップＳ１６０とエンジン駆動エアコンプレッサ作動ステップＳ１７０が選択的に行われる。
【００４１】
電動エアコンプレッサ作動ステップＳ１６０は、前記エンジン稼働判断ステップＳ１２０で前記エンジン１１が駆動されていないと判断された時に行われる。前記エンジン１１が駆動されていない状態では、車両のバッテリに充電された電力を利用して電動エアコンプレッサ１３を作動させる。したがって、停止した前記エンジン１１がエンジン駆動エアコンプレッサ１２を駆動させるために作動しなくても、電動エアコンプレッサ１３によって空圧が生成されるようにする。
【００４２】
一方、前記電動エアコンプレッサ作動ステップＳ１６０で前記電動エアコンプレッサ１３を作動させる前に、前記電動エアコンプレッサ１３の状態、車両の高電圧系統および低電圧系統の異常の有無を確認することが好ましい。
【００４３】
つまり、図２に示すように、前記エンジン稼働判断ステップＳ１２０と前記電動エアコンプレッサ作動ステップＳ１６０との間に、電動エアコンプレッサエラー判断ステップＳ１３０と、高電圧系統エラー判断ステップＳ１４０および低電圧系統エラー判断ステップＳ１５０が行われることが好ましい。
【００４４】
電動エアコンプレッサエラー判断ステップＳ１３０では、車両に搭載された前記電動エアコンプレッサ１３を駆動させる前に、前記電動エアコンプレッサ１３の異常の有無を判断する。前記電動エアコンプレッサ１３の状態を判断し、前記電動エアコンプレッサ１３の状態が正常な場合に限り、前記電動エアコンプレッサ１３を介して前記エアタンク１５内部の空圧が生成されるようにする。
【００４５】
仮に、前記電動エアコンプレッサエラー判断ステップＳ１３０で前記電動エアコンプレッサ１３の状態が異常と判断されると、前記電動エアコンプレッサ１３を介して前記エアタンク１５内部の圧力を上昇させることができないため、前記エンジン駆動エアコンプレッサ１２が作動するように、後述するエンジン駆動エアコンプレッサ作動ステップＳ１７０が行われるようにする。
【００４６】
高電圧系統エラー判断ステップＳ１４０では、車両の駆動に用いられるモータに電源を供給するのに使用される車両の高電圧電気系統の異常の有無を判断する。つまり、環境配慮型自動車において、車両の走行に用いられるモータに電源を供給する高電圧電気系統、例えば、高電圧バッテリ、高電圧バッテリ管理システム、ＬＤＣ（Ｌｏｗ  ＤＣ／ＤＣ  Ｃｏｎｖｅｒｔｅｒ）、インバータなどの異常の有無を判断する。前記電動エアコンプレッサ１３は、作動電圧が高いため、エンジン１１が停止した状態で前記電動エアコンプレッサ１３が作動するには、その動作時間に制限が生じてしまう。したがって、高電圧系統の異常の有無を判断し、前記電動エアコンプレッサ１３の作動時間を十分に確保することができる。
【００４７】
前記高電圧系統エラー判断ステップＳ１４０で高電圧系統が正常と判断されると、前記電動エアコンプレッサ１３を作動させるための後続過程が引き続き行われる。
【００４８】
仮に、前記高電圧系統エラー判断ステップＳ１４０で高電圧系統に異常があると判断されれば、前記電動エアコンプレッサ１３を作動しにくいため、エンジン駆動エアコンプレッサ作動ステップＳ１７０が行われるようにする。
【００４９】
低電圧系統エラー判断ステップＳ１５０は、車両の低電圧系統の異常の有無を判断する。ここで、低電圧系統とは、エンジンだけで駆動される通常の車両の電気系統に関するものであって、前記高電圧系統を除く電気系統となる。
【００５０】
前記低電圧系統エラー判断ステップＳ１５０で低電圧系統に異常がなければ、前記電動エアコンプレッサ１３を駆動させることができるが、低電圧系統に異常があれば、前記電動エアコンプレッサ１３を作動させることができないため、同様に、エンジン駆動エアコンプレッサ作動ステップＳ１７０が行われるようにする。
【００５１】
エンジン駆動エアコンプレッサ作動ステップＳ１７０は、前記エンジン稼働判断ステップＳ１２０で前記エンジン１１が駆動中と判断された時に行われる。そして、前記電動エアコンプレッサエラー判断ステップＳ１３０で前記電動エアコンプレッサ１３が異常と判断されたり、前記高電圧系統エラー判断ステップＳ１４０で車両の高電圧系統が異常と判断されたり、前記低電圧系統エラー判断ステップＳ１５０で車両の低電圧系統が異常と判断される場合にも、前記エンジン駆動エアコンプレッサ作動ステップＳ１７０が行われる。
【００５２】
前記エンジン駆動エアコンプレッサ作動ステップＳ１７０では、駆動中のエンジン１１の動力を利用して前記エンジン駆動エアコンプレッサ１２を作動させることにより、バッテリに充電された電力を使用せずに、駆動中の前記エンジン１１から引き出される動力の一部を利用して空圧を生成する。
【００５３】
作動完了空圧判断ステップＳ１８０は、前記電動エアコンプレッサ１３およびエンジン駆動エアコンプレッサ１２の作動により、上昇した前記エアタンク１５内部の圧力が十分であるかを判断する。前記エアタンク１５内部の圧力が十分であれば、前記電動エアコンプレッサ１３またはエンジン駆動エアコンプレッサ１２の作動を中止し、前記エアタンク１５内部の圧力が十分でなければ、前記電動エアコンプレッサ１３またはエンジン駆動エアコンプレッサ１２が作動し続けて前記エアタンク１５内部の圧力を十分に上昇させなければならないため、前記エアタンク１５内部の圧力が十分であるかを確認する。
【００５４】
前記作動完了空圧判断ステップＳ１８０では、前記エアタンク１５内部の圧力を、前記電動エアコンプレッサ１３またはエンジン駆動エアコンプレッサ１２の作動が中止するように設定された作動完了空圧と比較する。
【００５５】
仮に、前記エアタンク１５内部の圧力が作動完了空圧以上であれば、前記エアタンク１５内部の圧力が十分に上昇したため、前記電動エアコンプレッサ１３またはエンジン駆動エアコンプレッサ１２の作動を停止させる。すでに前記エアタンク１５の内部が十分に加圧された状態なので、車両の各種装置を安定した状態で作動させることが可能な状態であるため、それ以上の、前記エアタンク１５内部の圧力を上昇させるための、前記電動エアコンプレッサ１３またはエンジン駆動エアコンプレッサ１２の駆動を停止する。
【００５６】
一方、前記エアタンク１５内部の圧力が作動完了空圧未満であれば、前記エアタンク１５の内部が十分に加圧されていない状態であるため、前記電動エアコンプレッサ１３またはエンジン駆動エアコンプレッサ１２が作動し続けるようにする。つまり、前記エアタンク１５内部の圧力が作動完了空圧未満であれば、前記エンジン稼働判断ステップＳ１２０にリターンして上述した過程が繰り返され、前記電動エアコンプレッサ１３またはエンジン駆動エアコンプレッサ１２を作動して前記エアタンク１５内部の圧力が上昇するようにする。
【００５７】
この時、前記作動完了空圧は、前記作動開始空圧より高く設定されるようにし、前記エアタンク１５内部の圧力が前記作動開始空圧と前記作動完了空圧との間を維持するようにする。
【産業上の利用可能性】
【００５８】
本発明は、車両の運行状態と電圧系統の異常の有無に応じてエンジン駆動エアコンプレッサと電動エアコンプレッサを選択的に作動させる環境配慮型車両の空圧生成装置および方法の分野に適用できる。
【符号の説明】
【００５９】
１１  エンジン
１２  エンジン駆動エアコンプレッサ
１３  電動エアコンプレッサ
１４  ＡＰＵ
１５  エアタンク
１６ａ、１６ｂ  チェックバルブ
１７  ＨＣＵ
Ｓ１１０  作動開始空圧判断ステップ
Ｓ１２０  エンジン稼働判断ステップ
Ｓ１３０  電動エアコンプレッサエラー判断ステップ
Ｓ１４０  高電圧系統エラー判断ステップ
Ｓ１５０  低電圧系統エラー判断ステップ
Ｓ１６０  電動エアコンプレッサ作動ステップ
Ｓ１７０  エンジン駆動エアコンプレッサ作動ステップ
Ｓ１８０  作動完了空圧判断ステップ
【図１】
2014061865.tif 000003
【図２】
2014061865.tif 000004